(57)【要約】      （修正有）【課題】最も安定した状態を落下防止状態として、常に収納棚から収納物が落下しないようにし、収納物を出し入れするときに仮に開放状態とし、開放状態において地震が発生した場合には、直ちに落下防止状態になる落下防止具を提供する。【解決手段】横レール部２ａと縦レール部２ｂとからなるＬ型レール２でスライド３のフランジ部３ａをガイドし、スライド３の連結部３ｂによって収納物６の落下を防止する。そして、スライド３のフランジ部３ａが縦レール部２ｂの下部に位置する場合を落下防止状態とし、収納物６を出し入れする場合だけスライド３を持ち上げ、Ｌ型レール２の上側に配置した横レール部２ａにフランジ部３ａを仮置きして開放状態とする。【選択図】図１
0003175594.tif 000002
【実用新案登録請求の範囲】
【請求項１】
２個のＬ型レールと、前記Ｌ型レールによってガイドされるスライドとからなる落下防止具であって、前記Ｌ型レールは横レール部と縦レール部とからなるものとし、前記Ｌ型レールを収納棚の左右にそれぞれ取り付け、左右の前記Ｌ型レール間に設けた前記スライドによって、前記収納棚に置いた収納物の落下を防止するものとし、
前記スライドは、前記Ｌ型レールによってガイドされるフランジ部であって、前記横レールの前後方向及び前記縦レールの上下方向に移動可能に設けた２個のフランジ部と、２個の前記フランジ部の間をつなぐ連結部とからなることを特徴とする落下防止具。
【請求項２】
請求項１に記載した落下防止具であって、前記Ｌ型レールの断面は止面、２面の立上面、２面の折返面及び開面とからなる、概略リップ溝形鋼の断面形状と同様の断面形状を有するものとし、前記フランジ部は５角以上の角を有する多角形又は円形とし、
前記開面は前記連結部の太さより幅が広く、かつ、前記フランジ部が抜け出ない程度に幅が狭い開口としたことを特徴とする落下防止具。
【請求項３】
請求項２に記載した落下防止具であって、前記横レール部と前記縦レール部との合流部において、前記フランジ部の外接円より大きな開口を設け、前記Ｌ型レールに対して前記フランジ部を出し入れ可能な開口（以下単に「挿入出開口」という。）としたことを特徴とする落下防止具。
【考案の詳細な説明】
【技術分野】
【０００１】
本考案は、地震が発生したときにスチールラック、本棚、箱付きラック、戸棚、扉付き収納棚及び食器棚など（以下単に「収納棚」という。）から収納物が落下しないように防止する落下防止具に係り、収納棚に対して収納物を出し入れする作業が容易で、確実に収納物の落下を防止することができる落下防止具に関するものである。
【背景技術】
【０００２】
収納棚に収納した収納物が、地震の震動によって落下することを防止する装置として、収納物を出し入れすることが可能な状態（以下単に「開放状態」という。）を常態としておき、地震初期の地震力を利用して、収納物が落下しないよう防止する状態（以下単に「落下防止状態」という。）にする発明があった（例えば特許文献１、２参照。）。また、上部に設置した係止部に水平部材を止めて落下防止状態とする落下防止装置であって、水平部材を下方に移動させたときに開放状態にする発明があった（例えば特許文献３参照。）。
しかし、地震初期の地震力を利用した発明は、小さな揺れによって錘を落下させたり係止部を離脱させる発明であるため、いきなり大きな揺れが発生した場合には落下防止の機能を発揮できない問題があった。
また、上部に設置した係止部に水平部材を止める発明は、地震の揺れによって水平部材が係止部から離脱することが考えられ、重力によって水平部材が下方に移動してしまうことから、地震の力によって開放状態になってしまう問題があった。
一方、扉付きの収容棚の場合、従来から掛け金を取り付けて扉が開閉しないように構成していたが、大きく揺れた場合には掛け金が外れて扉が開いてしまうため、強い地震が起きた場合に落下防止の機能を発揮できない問題があった。
【先行技術文献】
【特許文献】
【０００３】
【特許文献１】特開２０１１−１２５４６４号公報
【特許文献２】特開２０１１−２００４７８号公報
【特許文献３】特開２０１０−２５４４０７号公報
【考案の概要】
【考案が解決しようとする課題】
【０００４】
本考案の目的は、強い地震が発生したときでも、収納棚から収納物が落下しないようにすることができ、収納物を出し入れするときには容易に開放状態とすることが可能な、落下防止具を提供することにある。
特に、自重によって自動的に位置する最も安定した状態を落下防止状態とし、収納物を出し入れする場合だけ仮に開放状態とし、開放状態において地震が発生した場合には、直ちに落下防止状態になる落下防止具を提供することにある。
【課題を解決するための手段】
【０００５】
横レール部と縦レール部とからなるＬ型レールでスライドをガイドし、スライドによって収納物の落下を防止する。そして、スライドが縦レール部の下部に位置する場合を落下防止状態とし、収納物を出し入れする場合だけスライドを持ち上げ、Ｌ型レールの上部に配置した横レール部に仮置きして開放状態とする。
【考案の効果】
【０００６】
スライドが重力方向下部に位置したときに落下防止状態となる構成の落下防止具としたので、常に落下防止状態を維持することが可能であり、強い地震によって収納棚がいきなり大きな揺れを受けたときでも、収納棚から収納物が落下することがなくなった。
また、収納物を出し入れするときには人がスライドを持ち上げて、一時的に開放状態にするものとし、開放状態であっても、地震の揺れによって直ちにスライドが落下する構成としたので、収納棚から収納物が落下する危険性は小さくなり、収納棚のそばで生活したり働く人間の安全性が高くなった。
【図面の簡単な説明】
【０００７】
【図１】落下防止具を収納棚に取り付けた状態を示す斜視図である。
【図２】落下防止具を収納棚に取り付けた状態の平面視断面図である。
【図３】図２のＫ−Ｋ視図である。
【考案を実施するための形態】
【０００８】
２個のＬ型レールと、Ｌ型レールによってガイドされるスライドとからなる落下防止具とする。また、Ｌ型レールは横レール部と縦レール部とからなるものとし、横レール部を上にして縦レール部を上下に向けて、Ｌ型レールを収納棚の左右にそれぞれ取り付ける。
そして、左右のＬ型レール間に取り付けたスライドによって、収納棚に置いた収納物の落下を防止する。さらに、スライドを横レール部に置いた状態を開放状態とし、スライドを縦レールの下部に置いたときを落下防止状態とする。
Ｌ型レールの部材として、例えばパイプ材を半割に加工してなる、半円弧断面を有するパイプ材を使用し、半円弧断面の凹側を内側にして２本平行に並べ、２列の凹溝の間にフランジ部を挿入し、２列の半円弧断面の凹溝によってフランジ部をガイドする構成が考えられる。
またＬ型レールの部材として、例えば山形綱などのＶ字断面を有する部材を使用し、Ｖ字断面の凹側を内側にして２本平行に並べ、２列の凹溝の間にフランジ部を挿入し、２列のＶ字断面の凹溝によってフランジ部をガイドする構成も考えられる。
【０００９】
一方スライドは、Ｌ型レールによってガイドされるフランジ部であって、横レール部と縦レール部の間を移動可能に設けた２個のフランジ部と、２個のフランジ部の間をつなぐ連結部とからなるものとする。
フランジ部はＬ型レールの中で転がりやすい形状とする、横レール部にフランジを仮置きした開放状態において地震が発生しても、転がりやすい形状のフランジとすることにより、フランジが横レールを転がり縦レールの中を落下して、落下防止具が直ちに落下防止状態になるからである。このためフランジ部の形状を５角以上の多角形とすることが好ましく円形のフランジ部とすることが最も好ましい。
収納物がほぼ同じようなサイズであったり、小物の収納物を箱や篭などに入れまとめて棚に置く場合は、２個のフランジ部の間にパイプを取り付けてこれを連結部とすると、単純で軽量な構成の落下防止具となるため好ましい。また、収納物が小物で形状も多様な場合は面形状の連結部とすればよい。
【００１０】
落下防止具であって、Ｌ型レールの断面は止面、２面の立上面、２面の折返面及び開面とからなる、概略リップ溝形鋼の断面形状と同様の断面形状を有するものとし、前記フランジ部は５角以上の角を有する多角形又は円形とする。そして、開面は連結部の太さより幅が広く、かつ、フランジ部が抜け出なない程度に幅が狭い開口とする。
さらに、横レール部と縦レール部との合流部において、フランジ部の外接円より大きな開口を設け、Ｌ型レールにフランジ部を出し入れすることが可能な開口（以下単に「挿入出開口」という。）とする。
フランジ部の外接円より大きな開口を一箇所に設けたところで、落下防止具を収納棚に取り付けた状態では、フランジ部はレールから抜け出ることがない。また、横レール部と縦レール部との合流部は挿入出開口を設けることに最も適している。
【実施例１】
【００１１】
以下、本考案の実施例１を図１〜図３に示し説明する。図１の上側には落下防止状態の落下防止具１を、下側には開放状態の落下防止具１をそれぞれ図示した。
実施例１の落下防止具１は２個のＬ型レール２とスライド３とからなるものとした。そして、Ｌ型レール２は横レール部２ａと縦レール部２ｂを有し、横レール部２ａと縦レール部２ｂとが直角に交差する形状とした。また、スライド３は２個のフランジ部３ａと、２個のフランジ部３ａの間に設けたパイプからなる連結部３ｂを有するものとした。
横レール部２ａと縦レール部２ｂは共に、止面２ｃ、２面の立上面２ｆ、２面の折返面２ｅ及び開口たる開面２ｄとからなる、概略リップ溝形鋼の断面形状と同様の断面形状を有するものとした。また、横レール部２ａの前後方向外側にある外端部及び縦レール部２ｂの上下方向下側にある下端部にそれぞれストッパ面２ｇを設けた。
【００１２】
開面２ｄは連結部３ｂの太さより幅が広く、かつ、フランジ部３ａの外径より幅が狭い開口として、フランジ部３ａがＬ型レール２に案内され、横レール部２ａの前後方向及び縦レール部２ｂの上下方向に、フランジ部３ａが移動可能な構成とした。
さらに、横レール部２ａと縦レール部２ｂとの合流部において、折返面２ｅの一部を切り欠くことにより、フランジ部３ａの外径より大きな開口を設け、この開口を挿入出開口２ｈとした。
落下防止具１を収容棚５に取り付ける場合は、図２の（Ａ）に図示したように、Ｌ型レール２に取付面４を設け、収容棚５の前面５ａにビス４ａを使用して固定する構成や、図２の（Ｂ）に図示したように、Ｌ型レール２の止面２ｃを収容棚５の内側面５ｂに皿ビス４ｂを使用して固定する構成などがある。
Ｌ型レール２を収納棚５に固定しない限り、挿入出開口２ｈからフランジ部３ａをＬ型レール２の中に出し入れすることが可能であり、一旦Ｌ型レール２を収納棚５に固定した後は、フランジ部３ａがＬ型レール２から抜け出ることはない。
【００１３】
常には、落下防止具１のスライド３は、縦レール部２ｂの下部に位置して落下防止状態を維持し、地震が発生して収容棚５が揺れたときには、スライド３の連結部３ｂによって収容物６が収容棚５から落下することを防止する。
一方、収容棚５に収容物６を出し入れするときは、スライド３を持ち上げ横レール部２ａにフランジ部３ａを仮置きして開放状態とする。仮に、落下防止具１が開放状態のときに地震が発生しても、フランジ部３ａが横レール２ａを転がり、フランジ部３ａが縦レール部２の下部に落下し、直ちに落下防止具１が落下防止状態となる。
図２の（Ｃ）に図示したように、蝶版５ｃを中心として開閉する扉５ｄを有する収納棚５に落下防止具１を取り付けると、扉５ｄの掛け金が外れたとしても、スライド３により扉５ｄが開くこと防止することができる。  
【産業上の利用可能性】
【００１４】
本考案は、家具を製造販売する産業だけでなく、収容棚を設置している事業所や工場など全ての産業で利用される。
【符号の説明】
【００１５】
１  ：落下防止具            ２  ：Ｌ型レール            ２ａ：横レール部
２ｂ：縦レール部            ２ｃ：止面                  ２ｄ：開面
２ｅ：折返面                ２ｆ：立上面                ２ｇ：ストッパ面
２ｈ：挿入出開口            ３  ：スライド              ３ａ：フランジ部        ３ｂ：連結部                ４  ：取付面                ４ａ：ビス
４ｂ：皿ビス                ５  ：収納棚                ５ａ：前面
５ｂ：内側面                ５ｃ：蝶版                  ５ｄ：扉
６  ：収納物
【図１】
0003175594.tif 000003
【図２】
0003175594.tif 000004
【図３】
0003175594.tif 000005